(57)【要約】【課題】近年のニーズに対応し、本体装置が送信側であるか受信側であるかを容易に区別することができるデータ処理システムを提供する。【解決手段】本体装置１及び本体装置１に接続された別体装置３を有するデータ処理システム１００において、本体装置１は、別体装置３との間でデータを双方向に転送するデータ転送手段３１と、そのデータ転送手段３１が、その本体装置１から別体装置３へデータを転送しているデータ送信状態におけるデータ転送方向と、その別体装置３からその本体装置１へデータを転送しているデータ受信状態におけるデータ転送方向と、を互いに異ならせて報知する転送状態報知手段３３とを備える。【選択図】図３
2009071501.tif 000002
【特許請求の範囲】
【請求項１】
本体装置及び前記本体装置に接続された別体装置を有するデータ処理システムにおいて、
前記本体装置は、
前記別体装置との間でデータを双方向に転送するデータ転送手段と、
前記データ転送手段が、前記本体装置から前記別体装置へデータを転送しているデータ送信状態におけるデータ転送方向と、前記別体装置から前記本体装置へデータを転送しているデータ受信状態におけるデータ転送方向と、を互いに異ならせて報知する転送状態報知手段と
を有することを特徴とするデータ処理システム。
【請求項２】
請求項１記載のデータ処理システムにおいて、
前記転送状態報知手段によるデータの転送状態を表示する表示手段を有し、
前記転送状態報知手段は、
前記本体装置を表す本体名称と、前記別体装置を表す別体名称とを前記表示手段の表示領域内の予め定められた位置に固定表示するとともに、
前記データ送信状態におけるデータ転送方向と前記データ受信状態におけるデータ転送方向が互いに反対となるように前記表示手段に表示させることを特徴とするデータ処理システム。
【請求項３】
請求項２記載のデータ処理システムにおいて、
前記転送状態報知手段は、前記表示手段に、
前記データ転送手段が転送すべき全データのうち転送済のデータ量の比率を表すデータ転送率に応じて、前記本体装置及び前記別体装置のうち転送先側の表示が逐次埋まるように表示させることを特徴とするデータ処理システム。
【請求項４】
請求項２又は請求項３記載のデータ処理システムにおいて、
前記転送状態報知手段は、
前記データ転送手段が転送すべきデータのうち転送済のデータ量を表すデータ転送率に応じて、データの移動を表すブロックを順に転送元から転送先に移動させることを特徴とするデータ処理システム。
【請求項５】
請求項２乃至請求項４のいずれか記載のデータ処理システムにおいて、
前記転送状態報知手段は、前記表示手段に、
前記データ転送手段が転送すべきデータのうち転送済みのデータ量を表すデータ転送率に応じて表示する色の濃淡を変化させることを特徴とするデータ処理システム。
【請求項６】
請求項２乃至請求項４のいずれか記載のデータ処理システムにおいて、
前記転送状態報知手段は、
前記データ転送手段によるデータ転送方向に応じて複数色のパターンを変化させて前記表示手段に表示させることを特徴とするデータ処理システム。
【請求項７】
請求項２乃至請求項６のいずれか記載のデータ処理システムにおいて、
前記転送状態報知手段は、
前記データ転送手段によるデータ転送方向に応じてデータを表す表示色を反転させて前記表示手段に表示させることを特徴とするデータ処理システム。
【請求項８】
請求項２乃至請求項７記載のデータ処理システムにおいて、
前記転送状態報知手段は、
前記データ転送方向に応じて割合表示を逆にして前記表示手段に表示することを特徴とするデータ処理システム。
【請求項９】
請求項１乃至請求項８のいずれか記載のデータ処理システムにおいて、
音を出力する第１音出力手段及び第２音出力手段を有し、
前記転送状態報知手段は、
前記本体装置から前記別体装置へデータを転送する場合には、前記第１音出力手段から出力する音を小さくしつつ前記第２音出力手段から出力する音を大きくし、前記別体装置から前記本体装置へデータを転送する場合には、前記第２音出力手段から出力する音を小さくしつつ前記第１音出力手段から出力する音を大きくすることを特徴とするデータ処理システム。
【請求項１０】
請求項１乃至請求項９のいずれか記載のデータ処理システムにおいて、
前記転送状態報知手段は、
前記本体装置と前記別体装置で互いに向きが逆となる報知を行うことを特徴とするデータ処理システム。
【請求項１１】
請求項１乃至請求項１０のいずれか記載のデータ処理システムにおいて、
前記転送状態報知手段は、
前記データ転送手段によるデータの送信及び受信を開始させるためのスイッチを表示させ、前記スイッチ操作により選択した送信若しくは受信とデータ転送時の報知方法とを合わせたことを特徴とするデータ処理システム。
【請求項１２】
請求項１１記載のデータ処理システムにおいて、
前記転送状態報知手段は、
前記スイッチに、前記本体装置と前記別体装置との間のデータ転送方向を示す表示を設けたことを特徴とするデータ処理システム。
【請求項１３】
請求項１１又は請求項１２記載のデータ処理システムにおいて、
前記転送状態報知手段は、
１つの前記スイッチの両端に各々送信及び受信を示す表示を設けたことを特徴とするデータ処理システム。
【請求項１４】
請求項１３記載のデータ処理システムにおいて、
前記転送状態報知手段は、
スライダ式スイッチを表示させ、前記スライダ式スイッチをスライドさせた方向と前記本体装置と前記別体装置との間のデータ転送方向を合わせたことを特徴とするデータ処理システム。
【請求項１５】
請求項１４記載のデータ処理システムにおいて、
前記転送状態報知手段は、
前記スライダ式スイッチが操作されていない場合、前記スライダ式スイッチを初期位置に戻して表示することを特徴とするデータ処理システム。
【請求項１６】
請求項１４記載のデータ処理システムにおいて、
前記転送状態報知手段は、
前記本体装置と前記別体装置との間のデータ転送が終わると初期位置に戻すことを特徴とするデータ処理システム。
【請求項１７】
請求項１乃至請求項１６のいずれか記載のデータ処理システムにおいて、
前記別体装置は、
無線タグに配置された無線タグ回路素子との間で情報の送受信を行い、前記無線タグ回路素子から情報を読み取る情報読み取り装置であることを特徴とするデータ処理システム。
【発明の詳細な説明】
【技術分野】
【０００１】
本発明は、本体装置と別体装置との間におけるデータ転送を行うデータ処理システムに係わり、特に、例えば別体装置が無線タグ回路素子から読み出した情報を本体装置に転送するデータ処理システムに関する。
【背景技術】
【０００２】
従来のデータ処理システムとしては、例えばラベル上の無線タグに備えられた無線タグ回路素子との間で情報の送受信を行って情報を読み出すリーダと、その情報をリーダから受け取ってデータ処理を行うサーバとを有する構成のものが存在していた（特許文献１参照）。このようなサーバでは、様々な種類の情報を記憶する無線タグ回路素子から読み出した情報に対して所定のデータ処理を施し、このような情報を活用することができる。
【特許文献１】特開２００７−８４２４７号公報（段落番号０１６６など）
【発明の開示】
【発明が解決しようとする課題】
【０００３】
上記従来技術においては、このデータ処理システムの外観上、例えばこのように無線タグの無線タグ回路素子から読み取った情報をサーバに転送しているのか、サーバからリーダへ情報を転送しているのかを区別しにくくデータの転送方向を直感的に把握しにくかった。一方、例えば複数の記憶媒体を備えるある装置内部においてこれら複数の記憶媒体間でデータを転送する場合においては、通常、一方の記憶媒体のデータを他方の記憶媒体へ転送することを自ら認識しつつ操作を行うため、特にデータの転送方向を把握していなくてもさほど支障はなかった。
【０００４】
本発明の目的は、本体装置が送信側であるか受信側であるかを容易に区別することができるようにしたデータ処理システムを提供することにある。
【課題を解決するための手段】
【０００５】
上記目的を達成するために、第１発明は、本体装置及び前記本体装置に接続された別体装置を有するデータ処理システムにおいて、前記本体装置は、前記別体装置との間でデータを双方向に転送するデータ転送手段と、前記データ転送手段が、前記本体装置から前記別体装置へデータを転送しているデータ送信状態におけるデータ転送方向と、前記別体装置から前記本体装置へデータを転送しているデータ受信状態におけるデータ転送方向と、を互いに異ならせて報知する転送状態報知手段とを有することを特徴とする。
【０００６】
これにより、例えば装置内部において複数の記憶媒体間におけるデータを転送する場合とは異なり、これら本体装置及び別体装置が互いに別体となっている。このデータ処理システムでは、本体装置と別体装置との間のデータ転送方向に応じて転送状態報知手段による報知態様が異なるため、本体装置が送信側となってデータを転送しているのか受信側となってデータを転送しているのかに関して容易に認識することができる。
【０００７】
第２発明は、上記第１発明において、前記転送状態報知手段によるデータの転送状態を表示する表示手段を有し、前記転送状態報知手段は、前記本体装置を表す本体名称と、前記別体装置を表す別体名称とを前記表示手段の表示領域内の予め定められた位置に固定表示するとともに、前記データ送信状態におけるデータ転送方向と前記データ受信状態におけるデータ転送方向が互いに反対となるように前記表示手段に表示させることを特徴とする。
【０００８】
これにより、ユーザが、容易に、本体装置が別体装置にデータを転送しているのか別体装置が本体装置にデータを転送しているのかについて視覚的に認識することができる。
【０００９】
第３発明は、上記第２発明において、前記転送状態報知手段は、前記表示手段に、前記データ転送手段が転送すべき全データのうち転送済のデータ量の比率を表すデータ転送率に応じて、前記本体装置及び前記別体装置のうち転送先側の表示が逐次埋まるように表示させることを特徴とする。
【００１０】
これにより、本体装置が送信側となってデータを転送しているのか、受信側となってデータを転送しているのかの区別が容易になる。また、データ転送率に応じて表示を変更することで、データ転送残量が把握できる。
【００１１】
第４発明は、上記第２発名又は第３発明において、前記転送状態報知手段は、前記データ転送手段が転送すべきデータのうち転送済のデータ量を表すデータ転送率に応じて、データの移動を表すブロックを順に転送元から転送先に移動させる。
【００１２】
これにより、データ転送方向に応じて、ブロックが順に転送元から転送先に移動し、転送先側に徐々にたまるように表示を行うことになる。すると、ユーザは、本体装置が送信側となってデータを転送しているのか、この本体装置が受信側となってデータを転送しているのかを容易に区別することができる。
【００１３】
第５発明は、上記第２発明乃至第４発明のいずれかにおいて、前記転送状態報知手段は、前記表示手段に、前記データ転送手段が転送すべきデータのうち転送済みのデータ量を表すデータ転送率に応じて表示する色の濃淡を変化させることを特徴とする。
【００１４】
これにより、データ転送方向に応じて色の濃淡が変化する方向を反対にすることで、本体装置が送信側となってデータを転送しているのか、本体装置が受信側となってデータを転送しているのか区別が容易になる。
【００１５】
第６発明は、上記第２発明乃至第４発明のいずれかにおいて、前記転送状態報知手段は、前記データ転送手段によるデータ転送方向に応じて複数色のパターンを変化させて前記表示手段に表示させることを特徴とする。
【００１６】
これにより、本体装置が送信側となってデータを転送しているのか、本体装置が受信側となってデータを転送しているのかの区別が容易になる。
【００１７】
第７発明は、上記第２発明乃至請求項６のいずれかにおいて、前記転送状態報知手段は、前記データ転送手段によるデータ転送方向に応じてデータを表す表示色を反転させて前記表示手段に表示させることを特徴とする。
【００１８】
これにより、本体装置が送信側となってデータを転送しているのか、本体装置が受信側となってデータを転送しているのかの区別が容易になる。
【００１９】
第８発明は、上記第２発明乃至第７発明のいずれかにおいて、前記転送状態報知手段は、前記データ転送方向に応じて割合表示を逆にして前記表示手段に表示することを特徴とする。
【００２０】
これにより、データ転送時に本体装置が送信側となっているか受信側となっているかの区別が容易になる。
【００２１】
第９発明は、上記第１発明乃至第８発明において、音を出力する第１音出力手段及び第２音出力手段を有し、前記転送状態報知手段は、前記本体装置から前記別体装置へデータを転送する場合には、前記第１音出力手段から出力する音を小さくしつつ前記第２音出力手段から出力する音を大きくし、前記別体装置から前記本体装置へデータを転送する場合には、前記第２音出力手段から出力する音を小さくしつつ前記第１音出力手段から出力する音を大きくすることを特徴とする。
【００２２】
これにより、このような混合音に接したユーザは、ステレオ効果によって音の移動を検知でき、データ転送時に本体装置が送信側となっているか受信側となっているかの区別が容易になる。
【００２３】
第１０発明は、上記第１発明乃至第９発明のいずれかにおいて、前記転送状態報知手段は、前記本体装置と前記別体装置で互いに向きが逆となる報知を行うことを特徴とする。
【００２４】
これにより、例えば本体装置がデータ送信側となるときには別体装置が受信側となるため、これら本体装置及び別体装置で向きが逆となる報知を行うことで、これら本体装置が送信側であるのか受信側であるのかを区別しやすくすることができる。
【００２５】
第１１発明は、上記第１発明乃至第１０発明のいずれかにおいて、前記転送状態報知手段は、前記データ転送手段によるデータの送信及び受信を開始させるためのスイッチを表示させ、前記スイッチ操作により選択した送信若しくは受信とデータ転送時の報知方法とを合わせたことを特徴とする。
【００２６】
これにより、スイッチ操作により選択された送信若しくは受信に応じて、データの転送方向の報知を行うことで、データ転送時に本体装置が送信側となっているか受信側となっているのかの区別が容易になる。
【００２７】
第１２発明は、上記第１１発明において、前記転送状態報知手段は、前記スイッチに、前記本体装置と前記別体装置との間のデータ転送方向を示す表示を設けたことを特徴とする。
【００２８】
これにより、スイッチの表示とデータ転送時の報知方向を合わせると、データ転送時に本体装置が送信側となっているか受信側となっているかの区別が容易になる。
【００２９】
第１３発明は、上記第１１発明又は第１２発明において、前記転送状態報知手段は、１つの前記スイッチ表示の両端に各々送信及び受信を示す表示を設けたことを特徴とする。
【００３０】
これにより、これら送信及び受信を示す表示により、データ転送時に本体装置が送信側となっているか受信側となっているかの区別が容易になる。
【００３１】
第１４発明は、上記第１３発明において、前記転送状態報知手段は、スライダ式スイッチを表示させ、前記スライダ式スイッチをスライドさせた方向と前記本体装置と前記別体装置との間のデータ転送方向を合わせたことを特徴とする。
【００３２】
これにより、本体装置と別体装置との間でのデータ伝送時に本体装置が送信側となっているか受信側となっていることの区別が容易になる。
【００３３】
第１５発明は、上記第１４発明において、前記転送状態報知手段は、前記スライダ式スイッチが操作されていない場合、前記スライダ式スイッチを初期位置に戻して表示することを特徴とする。
【００３４】
これにより、スライダ式スイッチは、スイッチを離すと初期位置に戻ることで、次の動作に移ることが可能になる。
【００３５】
第１６発明は、上記第１４発明において、前記転送状態報知手段は、前記本体装置と前記別体装置との間のデータ転送が終わると初期位置に戻すことを特徴とする。
【００３６】
これにより、本体装置と別体装置との間でデータ転送中に本体装置が送信側となっているか受信側となっているのかの区別が容易になるとともに、データ転送後、次の動作に移ることが可能になる。
【００３７】
第１７発明は、上記第１発明乃至第１６発明のいずれかにおいて、前記別体装置は、タグ情報を記憶するＩＣ回路部と、情報の送受信を行うタグ側アンテナとを備えた無線タグ回路素子のＩＣ回路部との間で情報の送受信を行う装置側アンテナと、前記装置側アンテナを用いて、タグ情報を記憶するＩＣ回路部と、情報の送受信を行うアンテナとを備えた無線タグ回路素子から、タグ情報を読み取る情報読取手段とを備えることを特徴とする。
【００３８】
これにより、例えば装置内部において複数の記憶媒体間におけるデータを転送する場合とは異なり、これら本体装置及び別体装置が互いに別体となっている。このデータ処理システムでは、別体装置が無線タグ回路素子から読み出した情報を本体装置に転送する際に、本体装置が受信側になっていることの区別がし易くなる。
【発明の効果】
【００３９】
本発明によれば、本体装置が送信側であるか受信側であるかを容易に区別することができる。
【発明を実施するための最良の形態】
【００４０】
以下、本発明の一実施の形態を図面を参照しつつ説明する。
【００４１】
図１は、本実施形態のデータ処理システム１００の外観の構成例を示す平面図である。
【００４２】
データ処理システム１００は、本体装置及び別体装置を有する。具体的には、ここでいう本体装置としては、例えばコンピュータ１を挙げることができ、ここでいう別体装置として、例えばリーダ３を挙げることができる。このリーダ３は、例えばいわゆるＵＳＢ（Ｕｎｉｖｅｒｓａｌ  Ｓｅｒｉａｌ  Ｂｕｓ）規格のインターフェースを用いてコンピュータ１に接続されており、このコンピュータ１との間で双方向にデータの転送を行う。
【００４３】
リーダ３は、別体装置の一例であり、例えば無線タグＴに配置された無線タグ回路素子Ｔｏとの間で情報の送受信を行い、その無線タグ回路素子Ｔｏから情報を読み取る情報読み取り装置である。具体的には、リーダ３は、タグ情報を記憶するＩＣ回路部（図示せず）と、情報の送受信を行うタグ側アンテナを備えた無線タグ回路素子ＴｏのＩＣ回路部との間で情報の送受信を行う装置側アンテナ（図示せず）と、その装置側アンテナを用いて、その無線タグ回路素子Ｔｏからタグ情報などの情報を読み取る情報読取部とを備える。
【００４４】
なお、上述した別体装置としては、このような無線タグＴとの間で情報の送受信を行うリーダ３に限られず、本体装置との間で双方向にデータを転送する様々な装置を採用しても良い。
【００４５】
コンピュータ１は、本体７及びこの本体７に接続された表示装置５を有している。この本体７は、コンピュータ１全体を制御している。このコンピュータ１は、表示装置５を制御し、表示領域５ａに所望の表示内容を表示させる機能を有する。なお、この本体７の詳細については後述する。
【００４６】
表示装置５は、コンピュータ１の本体７に接続されており、本体７の制御によって表示領域５ａに所定の内容を表示する機能を有する。この本体７においては、例えばＧＵＩ（Ｇｒａｐｈｉｃａｌ  Ｕｓｅｒ  Ｉｎｔｅｒｆａｃｅ）を用いたオペレーティングシステムが動作している。
【００４７】
この表示装置５は、その表示領域５ａに後述する転送状態画面９を表示する。この転送状態画面９は、これらコンピュータ１とリーダ３との間におけるデータの転送状態を表示するための画面である。本実施形態では、この転送状態画面９が主としてコンピュータ１とリーダ３との間におけるデータ転送方向、データ転送率を表示している。ここでいうデータ転送率とは、例えば転送すべき全データのうち転送済のデータの比率を表している。なお、この転送状態画面９の詳細については後述する。
【００４８】
図２は、図１に示すコンピュータ１の本体７のハードウェアの構成例を示すブロック図である。なお、この図２は本体７の構成を簡素化して表している。
【００４９】
本体７は、ＲＡＭ（Ｒａｎｄｏｍ  Ａｃｃｅｓｓ  Ｍｅｍｏｒｙ）１１、ＣＰＵ（Ｃｅｎｔｒａｌ  Ｐｒｏｃｅｓｓｉｎｇ  Ｕｎｉｔ）１６、ＲＯＭ（Ｒｅａｄ  Ｏｎｌｙ  Ｍｅｍｏｒｙ）１８、インターフェース部１７、ハードディスク１９及びスピーカ２１を有している。
【００５０】
ＲＯＭ１８は、プログラム及びデータを不揮発的に記憶可能な記憶媒体である。ＲＡＭ１１は、プログラム及びデータを一時的に記憶可能な記憶媒体である。ハードディスク１９は、プログラム及びデータを不揮発的に記憶可能な大容量の記憶媒体である。ＣＰＵ１６は、ハードディスク１９から読み出したプログラムをＲＡＭ１１に展開し、このプログラムを実行する機能を有する。ＣＰＵ１６は、本体７全体を制御している。
【００５１】
インターフェース部１７は、ＣＰＵ１６の制御によって、例えばＵＳＢインターフェース規格に従って本体７の外部との間でデータの転送や制御を行う機能有する。スピーカ２１は、ＣＰＵ１６の制御によって音を出力する。このスピーカ２１は複数のスピーカによって構成されている（第１音出力手段及び第２音出力手段に相当）。
【００５２】
図３は、図１に示すコンピュータ１の本体７において動作するソフトウェアの構成例を示すブロック図である。なお、この図３は、図２において説明したプログラムの構成例を示している。
【００５３】
この本体７は、概略的にはデータ転送部３１及び転送報知部３３を有する。このデータ転送部３１はデータ転送手段に相当し、リーダ３との間でデータを双方向に転送する機能を有する。
このデータ転送部３１は、データ送信部３５及びデータ受信部３７を有する。このデータ送信部３５は、本体７からリーダ３へデータを送信するための制御を行う。一方、このデータ受信部３７は、リーダ３から本体７へデータを受信するための制御を行う。
【００５４】
一方、転送報知部３３は転送報知手段に相当し、データ転送部３１が、本体７からリーダ３へデータを転送しているデータ送信状態におけるデータ転送方向と、リーダ３から本体７へデータを転送しているデータ受信状態におけるデータ転送方向と、を互いに異ならせて報知する機能を有する。
【００５５】
この転送報知部３３は、上述した表示装置５の表示領域５ａにデータの転送状態を表示させる。このデータの転送状態としては後述するような様々な形態を採用することができる。以下、具体的に説明する。
【００５６】
データ処理システム１００は以上のような構成例であり、次に図１〜図３を参照しつつデータ転送状態の報知方法の一例について説明する。
【００５７】
図４は、表示装置５の表示領域５ａに表示された転送状態画面９の一例を示す画面例である。
【００５８】
この転送状態画面９は、データドロップ領域４、転送状態表示部６、本体装置表示領域１０、別体装置表示領域８、上り転送スイッチ１４及び下り転送スイッチ１２を有する。なお、上り転送スイッチ１４及び下り転送スイッチ１２は、後述するように両機能が統合された１つのスイッチであっても良い。
【００５９】
データドロップ領域４は、例えば「Ｄａｔａ  Ｄｒｏｐ」と図示された所定領域を表している。このデータドロップ領域４は、リーダ３と本体７との間で転送すべきデータをドラッグしてドロップするための領域である。上述したデータ転送部３１は、このデータドロップ領域４にドロップされたデータを転送すべきデータとして指定する。
【００６０】
本実施形態では、本体７から無線タグＴへデータを転送する場合には、このデータのアイコンをデータドロップ領域４にドロップする。一方、無線タグＴから本体７へデータを転送する場合には、この対象データを表すアイコンをデータドロップ領域４にドロップする。
【００６１】
転送状態表示部６は、データ転送部３１が本体７とリーダ３との間でのデータの転送状態を表示するための表示領域である。なお本実施形態では、特に指定しない限り、転送状態表示部６の左側がリーダ３を表すとともに右側がコンピュータ１を表している。この転送状態表示部６における表示態様については後述する。
【００６２】
本体装置表示領域１０は、本体装置とした装置の名称が表示される表示領域である。本実施形態では、例えばコンピュータ１がパーソナルコンピュータ（以下「ＰＣ」と省略する）である場合を例示し、この本体装置表示領域１０に「ＰＣ」と表示している。別体装置表示領域８は、別体装置とした装置の名称が表示される表示領域である。本実施形態では、この別体装置表示領域８に「リーダ」と表示している。
【００６３】
上り転送スイッチ１４は、別体装置とすべき装置側から本体装置とすべき装置の名称を表示する表示領域である。一方、下り転送スイッチ１２は、本体装置とすべき装置側から別体装置とすべき装置の名称を表示する表示領域である。本実施形態では、上述したコンピュータ１を本体装置と設定する一方、上述したリーダ３を別体装置と設定している。
【００６４】
この転送報知部３３は、本体装置（つまりコンピュータ１に相当）を表す本体名称「ＰＣ」と、別体装置（つまりリーダ３に相当）を表す別体名称「リーダ」とを前記表示手段の表示領域内の予め定められた位置に固定表示するとともに、データ送信状態におけるデータ転送方向とデータ受信状態におけるデータ転送方向が互いに反対となるように表示装置５（表示手段に相当）に表示させている。なお本実施形態では、データ送信状態とは、転送元である本体装置が転送先である別体装置に対してデータを転送している状態を表しており、データ受信状態とは、転送元である別体装置が転送先である本体装置に対してデータを転送している状態を表している。
【００６５】
図５（Ａ）〜図５（Ｄ）及び図６（Ａ）〜図６（Ｄ）は、それぞれ転送状態表示部６の第１表示例を示す図である。図５（Ａ）〜図５（Ｄ）では、右側の本体装置としてのコンピュータ１から、左側の別体装置としてのリーダ３にデータが転送される（データ送信状態に相当）様子を表している。
【００６６】
転送報知部３３は、データ転送部３１が転送すべき全データのうち転送済のデータ量の比率を表すデータ転送率に応じて、コンピュータ１及びリーダ３のうち転送先側の表示６ａが逐次埋まるように表示させる。具体的には、この転送報知部３３が次のような表示態様となるように表示させている。
【００６７】
例えばコンピュータ１からリーダ３にデータが転送される場合には（データ送信状態に相当）、図５（Ａ）に示すように転送先に相当するリーダ３側にバー表示がない状態から、図５（Ｂ）及び図５（Ｃ）に示すように転送先にバー表示６ａが徐々に埋まり続け、最後には図５（Ｄ）に示すように転送先から転送元（コンピュータ１に相当）にわたりバー表示６ａが充填するように表示される。このようにバー表示６ａが充填すると、対象となるデータが転送され尽くしたことを示し、一定時間後にこのバー表示６ａが消失する。転送報知部３３は、後述する同様の処理においても対象データが転送され尽くしたことを契機として、このようなバー表示６ａなどが一定時間後に消失するように制御している。
【００６８】
このようにコンピュータ１からリーダ３にデータを転送した場合、リーダ３は例えば読み取り動作（リーダ動作）を行うことができ、読んだデータはバッファに記憶させておき後ほど転送することを、ユーザに分かるように報知するようにしても良い。
【００６９】
一方、図６（Ａ）〜図６（Ｄ）では、左側の別体装置としてのリーダ３から、右側の本体装置としてのコンピュータ１にデータが転送される（データ受信状態に相当）様子を表している。
【００７０】
例えばリーダ３からコンピュータ１にデータが転送される場合には、図６（Ａ）に示すように右側の転送先に相当するコンピュータ１側にバー表示がない状態から、図６（Ｂ）及び図６（Ｃ）に示すように転送先にバー表示６ａが徐々に埋まり続け、最後には図６（Ｄ）に示すように転送先から転送元（リーダ３に相当）にわたりバー表示６ａが充填するように表示される。
【００７１】
このようにリーダ３からコンピュータ１にデータを転送した場合、例えばリーダ３によって転送済データによるラベル作成を行うことができることを、ユーザに分かるように報知するようにしても良い。
【００７２】
図７（Ａ）〜図７（Ｌ）及び図８（Ａ）〜図８（Ｌ）は、それぞれ転送状態表示部６の第２表示例を示す図である。図７（Ａ）〜図７（Ｌ）では、左側の別体装置としてのリーダ３から、右側の本体装置としてのコンピュータ１にデータが転送される（データ受信状態に相当）様子を表している。
【００７３】
転送状態表示部６は、データ転送部３１が転送すべきデータのうち転送済のデータ量を表すデータ転送率に応じて、データの移動を表すブロック６ｂを順に転送元から転送先に移動させている。
【００７４】
例えばリーダ３からコンピュータ１にデータが転送される場合には（データ受信状態に相当）、図７（Ａ）に示すように転送先に相当するコンピュータ１側にブロック６ｂがない状態から、図７（Ｂ）〜図７（Ｄ）に示すようにブロック６ｂが転送先に向けて移動し、最後には移動していたブロック６ｂが図７（Ｅ）に示すように転送先（コンピュータ１に相当）に移動し、転送先側で停止する。
【００７５】
さらに、図７（Ｆ）に示すように転送元の次のブロック６ｂが、同様に、図７（Ｇ）〜図７（Ｈ）に示すように転送先に向けて移動し、最後には移動中のブロック６ｂが図７（Ｉ）に示すように転送先（コンピュータ１に相当）に既に移動しているブロックの横まで移動しきる。なお図７（Ｇ）〜図７（Ｈ）においては、ブロック６ｂの移動状態を省略して図示している。すると、このブロック６ｂが、先ほど移動が終了したブロック６ｂと統合された表示態様となる。
【００７６】
さらに、図７（Ｊ）に示すように転送元のさらに次のブロック６ｂが、同様に図７（Ｋ）に示すように転送先に向けて移動し、最後には移動中のブロック６ｂが転送先（コンピュータ１に相当）に既に移動しているブロックの横まで移動し尽くし、先ほど移動が終了したブロック６ｂの一群と一体化された表示態様となる。これを繰り返すことで図７（Ｌ）に示すように転送状態表示部６がブロック６ｂで埋まったよう表示され、これによりデータの転送が完了したことが示される。なお図７（Ｋ）〜図７（Ｌ）においてはブロック６ｂの移動状態を省略している。
【００７７】
図８（Ａ）〜図８（Ｌ）では、右側の本体装置としてのコンピュータ１から、左側の別体装置としてのリーダ３にデータが転送される（データ送信状態に相当）様子を表している。
【００７８】
例えばコンピュータ１からリーダ３にデータが転送される場合には（データ送信状態に相当）、図８（Ａ）に示すように転送先に相当するリーダ３側にブロック６ｂがない状態から、図８（Ｂ）〜図８（Ｄ）に示すようにブロック６ｂが転送先に向けて移動し、最後には移動していたブロック６ｂが図８（Ｅ）に示すように転送先（リーダ３に相当）に移動し、転送先側で停止する。
【００７９】
さらに、図８（Ｆ）に示すように転送元の次のブロック６ｂが、同様に、図８（Ｇ）〜図８（Ｈ）に示すように転送先に向けて移動し、最後には図８（Ｉ）に示すように移動中のブロック６ｂが転送先（リーダ３に相当）に既に移動しているブロックの横まで移動しきる。すると、このブロック６ｂが、先ほど移動が終了したブロック６ｂと統合された表示態様となる。
【００８０】
さらに、図８（Ｊ）に示すように転送元のさらに次のブロック６ｂが、同様に、図８（Ｊ）及び図８（Ｋ）に示すように転送先に向けて移動し、最後には移動中のブロック６ｂが転送先（リーダ３に相当）に既に移動しているブロックの横まで移動し、先ほど移動が終了したブロック６ｂの一群と統合された表示態様となる。これを繰り返すことで図８（Ｌ）に示すように転送状態表示部６がブロック６ｂで埋まったよう表示され、これによりデータの転送が完了したことが示される。なお図８（Ｋ）〜図８（Ｌ）においてはブロック６ｂの移動状態を省略している。
【００８１】
図９（Ａ）〜図９（Ｌ）は、それぞれ転送状態表示部６の第２表示例の変形例を示す図である。これらの図は、転送状態表示部６の第２実施例の図８（Ａ）〜図８（Ｌ）にあたるもので、右側の本体装置としてのコンピュータ１から、左側の別体装置としてのリーダ３にデータが転送される（データ送信状態に相当）様子を表している。この変形例（転送状態表示部６の第２表示例の変形例）において、左側の別体装置としてのリーダ３から、右側の本体装置としてのコンピュータ１にデータが転送される（データ受信状態に相当）際の様子は、転送状態表示部６の第２実施例と同様であり、図７（Ａ）〜図７（Ｌ）に示すものとなる。
【００８２】
図７（Ａ）〜図７（Ｌ）においてはブロック６ｂの移動がデータの転送状態を表していたが、図９（Ａ）〜図９（Ｌ）においては、その代わりに空白部６ｃの移動がデータの転送状態を表している。つまり、ブロック６ｂ内に点在する空白部６ｃがデータの転送状態を表している。
【００８３】
例えばコンピュータ１からリーダ３にデータが転送される場合には、図９（Ａ）に示すように転送先に相当するリーダ３側に空白部６ｃがない状態から、図９（Ｂ）〜図９（Ｄ）に示すように空白部６ｃが転送先に向けて移動し、最後には移動していた空白部６ｃが図９（Ｅ）に示すように転送先（リーダ３に相当）に移動し、転送先側で停止する。
【００８４】
さらに、図９（Ｆ）に示すように転送元の次の空白部６ｃが、同様に、図９（Ｇ）〜図９（Ｈ）に示すように転送先に向けて移動し、最後には図９（Ｉ）に示すように移動中の空白部６ｃが転送先（リーダ３に相当）に既に移動しているブロックの横まで移動しきる。すると、この空白部６ｃが、先ほど移動が終了した空白部６ｃと統合された表示態様となる。
【００８５】
さらに、図９（Ｊ）に示すように転送元のさらに次の空白部６ｃが、同様に、図９（Ｊ）及び図９（Ｋ）に示すように転送先に向けて移動し、最後には移動中の空白部６ｃが既に移動しているブロックの横まで移動し、先ほど移動が終了した空白部６ｃの一群と統合された表示態様となる。これを繰り返すことで図９（Ｌ）に示すように転送状態表示部６がブロック６ｃで埋まったよう表示され、これによりデータの転送が完了したことが示される。なお図９（Ｋ）〜図９（Ｌ）においてはブロック６ｃの移動状態を省略している。
【００８６】
このように、上述した転送状態報知部３３は、データ転送部３１によるデータ転送方向に応じてデータを表す表示色を反転させて表示装置５に表示させることで、転送方向を判別することができる。
＜第３表示例＞
図１０及び図１１は、転送状態表示部６の第３表示例を示す図である。なお図１０及び図１１においては、その転送状態表示部６のみならずその周囲の表示も図示している。
【００８７】
転送報知部３３は、データ転送方向に応じて割合表示を逆にして表示装置５に表示する。ここでいう割合表示とは、データの転送率を百分率などで表した表示を示している。具体的には、この転送報知部３３が次のような表示を行う。例えば右側のコンピュータ１から左側のリーダ３にデータを転送する場合には、転送報知部３３は、図１０に示すように転送状態表示部６の左端部の下側に「０％」の表示を行うとともに右端部の下側に「１００％」の表示を行う。
【００８８】
一方、例えば左側のリーダ３から右側のコンピュータ１にデータを転送する場合には、転送報知部３３が、図１１に示すように転送状態表示部６の左端部の下側に「１００％」の表示を行うとともに右端部の下側に「０％」の表示を行う。
＜第４表示例＞
図１２（Ａ）〜図１２（Ｃ）及び図１３（Ａ）〜図１３（Ｃ）は、それぞれ転送状態表示部６の第４表示例を示す図である。
【００８９】
転送報知部３３は、表示装置５に、データ転送部３１が転送すべきデータのうち転送済みのデータ量を表すデータ転送率に応じて表示する色の濃淡を変化させる。なお図示の例では、色の濃淡をハッチングの細かさで表しており、疎なハッチングほど色が濃いことを表しており、密なハッチングほど色が薄いことを表している。具体的には、転送報知部３３は次のように表示させている。
【００９０】
すなわち転送報知部３３は、例えばリーダ３からコンピュータ１にデータを転送するにあたり、最初は図１２（Ａ）に示すように転送状態表示部６において転送元から転送先にかけて所定の色の濃淡が変化するように表示させている。このような所定の色の濃淡は、データの転送方向を表しており、色の濃淡を表すハッチングが疎な方向から密な方向へデータが転送されることを表している。
【００９１】
転送報知部３３は、データ転送率が約５０％である場合、例えば図１２（Ｂ）に示すように転送状態表示部６における左端部から中央部にかけてハッチングが疎から密へと変化している。このハッチングの疎から密への変化は、疎なハッチングの箇所までの割合表示（例えば５０％）に該当するデータの転送が終了していることを表している。
【００９２】
転送報知部３３は、図１２（Ｂ）及び図１２（Ｃ）に示すように転送済の表示６ｄにおいて転送元から転送先に進むにつれて、例えば色の濃度が高くなるように濃淡を変化させて表示している。本実施形態では、転送報知部３３が、転送元から転送先になるに従って、データの転送状態を表す色がデータの転送状態に応じて濃くなるように表示させている。なお図１２（Ｃ）は、データ転送率が約１００％であることを表している。
【００９３】
一方、図１３（Ａ）〜図１３（Ｃ）は、上述した図１２（Ａ）〜図１２（Ｃ）とはデータの転送方向が逆となっている点が異なっている点を除いて、図１２（Ａ）〜図１２（Ｃ）とほぼ同様であるので、詳細な説明は省略する。
【００９４】
転送報知部３３は、例えばリーダ３からコンピュータ１にデータを転送するにあたり、最初は図１３（Ａ）に示すように転送状態表示部６において転送元から転送先にかけて所定の色の濃淡が変化するように表示させている。転送報知部３３は、データ転送率が約５０％となった場合、例えば図１３（Ｂ）に示すように転送状態表示部６における右端部から中央部にかけてハッチングが疎から密へと変化している。転送報知部３３は、図１３（Ｂ）及び図１３（Ｃ）に示すように転送状態表示部６における転送済の表示６ｄにおいて転送元から転送先に進むにつれて、例えば色の濃度が高くなるように濃淡を変化させて表示している。
【００９５】
図１４（Ａ）〜図１４（Ｃ）及び図１５（Ａ）〜図１５（Ｃ）は、それぞれ転送状態表示部６の第５表示例を示す図である。
【００９６】
転送報知部３３は、データ転送部３１によるデータ転送方向に応じて複数色のパターンを変化させて表示装置５に表示させる。なお転送報知部３３は、このようなデータ転送状態に応じて複数色のパターンを変化させて表示させるようにしてもよい。ここでいう転送状態に応じて複数色のパターンを変化させるとは、データの転送が進むにつれて、例えば虹色を構成する複数の色を表示することを挙げることができる。具体的には、この転送報知部３３が次のようにデータ転送状態を表示させている。
【００９７】
すなわち転送報知部３３は、例えばリーダ３からコンピュータ１にデータを転送する場合、図１４（Ａ）に示すようなデータの未転送状態から、図１４（Ｂ）に示すようなデータ転送率が５０％であるとき、転送状態表示部６において転送元から転送先に向けて、例えば赤紫色の部分６ｆ、紫色の部分６ｇ、青紫色の部分６ｈ、青色の部分６ｉ、青緑色の部分６ｊ、緑色の部分６ｋ、黄緑色の部分６ｌなどの複数の色が連続的に変化する虹等のように表示させている。
【００９８】
さらに、この転送報知部３３は、図１４（Ｃ）に示すようにデータ転送率が１００％である場合、転送状態表示部６において転送元から転送先に向けて、例えば赤紫色の部分６ｆ、紫色の部分６ｇ、青紫色の部分６ｈ、青色の部分６ｉ、青緑色の部分６ｊ、緑色の部分６ｋ、黄緑色の部分６ｌ、黄色の部分６ｍ、オレンジ色の部分６ｎ、赤色の部分６ｏ、赤紫色の部分６ｐなどの複数の色が連続的に変化する虹等のように表示させている。
【００９９】
一方、転送報知部３３は、例えばコンピュータ１からリーダ３にデータを転送する場合、図１５（Ａ）に示すようなデータの未転送状態から、図１５（Ｂ）に示すようなデータ転送率が５０％であるとき、転送状態表示部６において転送元から転送先に向けて、例えば赤紫色の部分６ｆ、紫色の部分６ｇ、青紫色の部分６ｈ、青色の部分６ｉ、青緑色の部分６ｊ、緑色の部分６ｋ、黄緑色の部分６ｌなどの複数の色が連続的に変化する虹等のように表示させている。
【０１００】
さらに、この転送報知部３３は、図１５（Ｃ）に示すようにデータ転送率が１００％である場合、転送状態表示部６において転送元から転送先に向けて、例えば赤紫色の部分６ｆ、紫色の部分６ｇ、青紫色の部分６ｈ、青色の部分６ｉ、青緑色の部分６ｊ、緑色の部分６ｋ、黄緑色の部分６ｌ、黄色の部分６ｍ、オレンジ色の部分６ｎ、赤色の部分６ｏ、赤紫色の部分６ｐなどの複数の色が連続的に変化する虹等のように表示させている。
【０１０１】
図１６（Ａ）、図１６（Ｂ）、図１７（Ａ）及び図１７（Ｂ）は、それぞれ転送状態表示部６の第６表示例を示す図である。
【０１０２】
上述した転送報知部３３は、データ転送方向が左側のリーダ３から転送先である右側のコンピュータ１である場合、例えば図１６（Ａ）に示すキャラクタ６ｓが転送元から右側へ移動し、図１６（Ｂ）に示す転送先へ到達する表示態様としても良い。このキャラクタ６ｓは、例えば人間がデータに見立てた書類を抱えながら移動していく形態を表している。なお、このキャラクタ６ｓは、その代わりにアイコンなどであってもよい。
【０１０３】
このとき、この転送報知部３３は、データの転送量に応じて、このキャラクタ６ｓの動きを制御するようにしても良い。具体的には、このキャラクタ６ｓは、例えばデータの転送量が多い場合には転送元から転送先に歩く一方、データの転送量が少ない場合には転送元から転送先に走るようにしてもよい。
【０１０４】
一方、データ転送方向が、例えば右側のコンピュータ１から転送先である左側のリーダ３である場合、転送報知部３３は、例えばキャラクタ６ｓが図１７（Ａ）に示す転送元から左へ移動し、図１７（Ｂ）に示す転送先へ到達する表示態様としても良い。
【０１０５】
このとき、この転送報知部３３は、上記と同様にデータの転送量に応じて、このキャラクタ６ｓの動きを制御するようにしても良い。具体的には、このキャラクタ６ｓは、例えばデータの転送量が多い場合には転送元から転送先に歩く一方、データの転送量が少ない場合には転送元から転送先に走るようにしてもよい。
【０１０６】
＜転送状態表示部６におけるスイッチの形態＞
転送報知部３３は、上述した上り転送スイッチ１４及び下り転送スイッチ１２の代わりに次の様なスイッチを転送状態画面９に表示させている。すなわちこの転送報知部３３は、データ転送部３１によるデータの送信及び受信を開始させるためのスイッチ１３を表示させ、そのスイッチ１３の操作により選択した送信若しくは受信とデータ転送時の報知方法とを合わせている。
【０１０７】
具体的には、転送報知部３３は、図１８に示すようにスイッチ１３に、本体装置としてのコンピュータ１と別体装置としてのリーダ３との間のデータ転送方向を示す表示１３ａ，１３ｂを設けるよう表示させている。このデータ転送方向を示す表示１３ａ，１３ｂは、後述する下り指示部１３ａ及び上り指示部１３ｂに表示されている各矢印に相当する。
【０１０８】
また、この転送報知部３３は、例えば１つである上述したスイッチ１３の両端に各々送信及び受信を示す表示１３ａ，１３ｂを設けている。これら送信及び受信を示す表示１３ａ，１３ｂは、データ転送方向に応じて、後述する下り指示部１３ａ及び上り指示部１３ｂに相当する。
【０１０９】
このスイッチ１３は、上り指示部１３ｂ及び下り指示部１３ａを有している。上り指示部１３ｂを操作すると、上述した上り転送スイッチ１４と同様に、データ転送部３１が対象データをリーダ３からコンピュータ１に転送する。一方、下り指示部１３ａを操作すると、上述した下り転送スイッチ１２と同様に、データ転送部３１が対象データをコンピュータ１からリーダ３に転送する。
【０１１０】
具体的には、例えば上り指示部１３ｂが操作された場合、この転送報知部３３は、図１９に示すようにリーダ３からコンピュータ１に向けた矢印の表示１３ｃを行う。一方、例えば下り指示部１３ａが操作された場合、この転送報知部３３は、図２０に示すようにコンピュータ１からリーダ３に向けた矢印の表示１３ｄを行う。
【０１１１】
図２１は、転送状態画面９におけるスイッチの変形例を示す図である。
【０１１２】
転送報知部３３は、この転送状態画面９にスライダ式スイッチ１５を表示させる。この転送報知部３３は、そのスライダ式スイッチ１５をスライドさせた方向とコンピュータ１とリーダ３との間との間のデータ転送方向を合わせている。具体的には、この転送報知部３３は、このスライダ式スイッチ１５のスライド部１５ａをスケール部１５ｂに沿って所定方向にスライドさせると、そのスライド方向に応じてデータ転送部３１を制御する。
【０１１３】
具体的には、この転送報知部３３は、このスライド方向及びスライド位置が初期位置よりも本体装置表示領域１０へ向かっている場合、データ転送部３１を制御し、別体装置であるリーダ３から本体装置であるコンピュータ１にデータを転送させる。一方、この転送報知部３３は、このスライド方向及びスライド位置が初期位置よりも別体装置表示領域８へ向かっている場合、データ転送部３１を制御し、本体装置であるコンピュータ１から別体装置であるリーダ３にデータを転送させる。
【０１１４】
このとき、転送報知部３３は、スライダ式スイッチ１５のスライド部１５ａが操作されていない場合、そのスライダ式スイッチ１５のスライド部１５ａをスケール部１５ｂの初期位置に戻して表示している。つまり、この転送報知部３３は、このスライド部１５ａがその初期位置からスライドされている間のみ、データ転送部３１に、そのスライド方向に応じたデータ転送を行うようにさせている。
【０１１５】
なお、本実施形態では、そのような初期位置として、例えば図２１に示すように別体装置表示領域８（図示の「リーダ」の表示領域に相当）と本体装置表示領域１０（図示の「ＰＣ」の表示領域に相当）との中間地点を例示することができる。
【０１１６】
また、転送報知部３３は、このようにスライダ式スイッチ１５のスライド部１５ａが操作されていないと、そのスライド部１５ａをその初期位置に戻す代わりに、本体装置であるコンピュータ１と別体装置であるリーダ３との間のデータ転送が終わると、その初期位置に戻すようにしても良い。
【０１１７】
以上のように本実施形態では、上記データ処理システム１００が、本体装置の一例としてコンピュータ１及びこのコンピュータ１に接続された別体装置の一例としてリーダ３を有する。以下、本体装置の一例としてコンピュータ１を挙げるとともに、別体装置の一例としてリーダ３を挙げる。
【０１１８】
しかもこのデータ処理システム１００は、そのコンピュータ１は、リーダ３との間でデータを双方向に転送するデータ転送部３１（データ転送手段に相当）と、そのデータ転送部３１がコンピュータ１からリーダ３へデータを転送しているデータ送信状態におけるデータ転送方向と、リーダ３からコンピュータ１へデータを転送しているデータ受信状態におけるデータ転送方向と、を互いに異ならせて報知する転送報知部３３（転送状態報知手段に相当）とを備えている。
【０１１９】
このような構成では、例えば装置内部において複数の記憶媒体間におけるデータを転送する場合とは異なり、これらコンピュータ１及びリーダ３が互いに別体となっている。このデータ処理システム１００では、コンピュータ１とリーダ３との間のデータ転送方向に応じて転送報知部３３による報知態様が異なるため、コンピュータ１が送信側となってデータを転送しているのか受信側となってデータを転送しているのかに関して容易に認識することができる。
【０１２０】
また、このデータ処理システム１００は、上記構成に加えてさらに、転送報知部３３によるデータの転送状態を表示する表示装置５（表示手段に相当）を有する。そして転送報知部３３は、コンピュータ１を表す本体名称と、リーダ３を表す別体名称とを表示装置５の表示領域５ａ内の予め定められた位置に固定表示するとともに、上述したデータ送信状態におけるデータ転送方向と前記データ受信状態におけるデータ転送方向が互いに反対となるように表示装置５に表示させている。
【０１２１】
このようにすると、ユーザが、容易に、本体装置が別体装置にデータを転送しているのか別体装置が本体装置にデータを転送しているのかについて視覚的に認識することができる。
【０１２２】
上記データ処理システム１００では、上記構成に加えてさらに、転送報知部３３は、表示装置５に、データ転送部３１が転送すべき全データのうち転送済のデータ量の比率を表すデータ転送率に応じて、コンピュータ１及びリーダ３のうち転送先側の表示が逐次埋まるように表示させている。
【０１２３】
このようにすると、コンピュータ１が送信側となってデータを転送しているのか、受信側となってデータを転送しているのかの区別が容易になる。また、データ転送率に応じて表示を変更することで、データ転送残量が把握できる。
【０１２４】
上記データ処理システム１００では、上記構成に加えてさらに、転送報知部３３は、データ転送部３１が転送すべきデータのうち転送済のデータ量を表すデータ転送率に応じて、データの移動を表すブロックを順に転送元から転送先に移動させる。
【０１２５】
このようにすると、データ転送方向に応じて、ブロックが順に転送元から転送先に移動し、転送先側に徐々にたまるように表示を行うことになる。すると、ユーザは、コンピュータ１が送信側となってデータを転送しているのか、このコンピュータ１が受信側となってデータを転送しているのかを容易に区別することができる。
【０１２６】
上記データ処理システム１００では、上記構成に加えてさらに、転送報知部３３は、表示装置５に、データ転送部３１が転送すべきデータのうち転送済みのデータ量を表すデータ転送率に応じて表示する色の濃淡を変化させている。
【０１２７】
このようにすると、データ転送方向に応じて色の濃淡が変化する方向を反対にすることで、コンピュータ１が送信側となってデータを転送しているのか、コンピュータ１が受信側となってデータを転送しているのか区別が容易になる。
【０１２８】
上記データ処理システム１００では、上記構成に加えてさらに、転送報知部３３は、データ転送部３１によるデータ転送方向に応じて複数色のパターンを変化させて表示装置５に表示させている。なお、この転送報知部３３は、このようなデータ転送状態に代えて或いは併せてデータ転送状態に応じて複数色のパターンを変化させて表示装置５に表示させても良い。
【０１２９】
このようにすると、コンピュータ１が送信側となってデータを転送しているのか、コンピュータ１が受信側となってデータを転送しているのかの区別が容易になる。
【０１３０】
上記実施形態におけるデータ処理システム１００では、上記構成に加えてさらに、転送報知部３３は、データ転送部３１によるデータ転送方向に応じてデータを表す表示色を反転させて表示装置５に表示させる。
【０１３１】
このようにすると、コンピュータ１が送信側となってデータを転送しているのか、コンピュータ１が受信側となってデータを転送しているのかの区別が容易になる。
【０１３２】
上記実施形態におけるデータ処理システム１００では、上記構成に加えてさらに、転送報知部３３は、データ転送方向に応じて割合表示を逆にして表示装置５に表示している。
【０１３３】
このようにすると、データ転送時にコンピュータ１が送信側となっているか受信側となっているかの区別が容易になる。
【０１３４】
上記実施形態におけるデータ処理システム１００では、上記構成に加えてさらに、転送報知部３３は、コンピュータ１とリーダ３で互いに向きが逆となる報知を行っている。
【０１３５】
このようにすると、例えばコンピュータ１がデータ送信側となるときにはリーダ３が受信側となるため、これらコンピュータ１及びリーダ３で向きが逆となる報知を行うことで、これらコンピュータ１が送信側であるのか受信側であるのかを区別しやすくすることができる。
【０１３６】
上記実施形態におけるデータ処理システム１００では、上記構成に加えてさらに、転送報知部３３は、データ転送部３１によるデータの送信及び受信を開始させるためのスイッチ１３を表示させ、そのスイッチ操作により選択した送信若しくは受信とデータ転送時の報知方法とを合わせている。
【０１３７】
このようにすると、スイッチ操作により選択された送信若しくは受信に応じて、データの転送方向の報知を行うことで、データ転送時に本体装置が送信側となっているか受信側となっているのかの区別が容易になる。
【０１３８】
上記実施形態におけるデータ処理システム１００では、上記構成に加えてさらに、上述した転送報知部３３が、前記スイッチ１３に、コンピュータ１とリーダ３との間のデータ転送方向を示す表示１３ａ，１３ｂを設けている。
【０１３９】
このようにすると、スイッチの表示とデータ転送時の報知方向を合わせると、データ転送時にコンピュータ１が送信側となっているか受信側となっているかの区別が容易になる。
【０１４０】
上記データ処理システム１００では、上記構成に加えてさらに、転送報知部３３は、１つのスイッチ１３の両端に各々送信及び受信を示す表示１３ａ，１３ｂを設けている。
【０１４１】
このようにすると、これら送信及び受信を示す表示により、データ転送時にコンピュータ１（本体装置）が送信側となっているか受信側となっているかの区別が容易になる。
【０１４２】
上記データ処理システム１００では、転送報知部３３は、スライダ式スイッチ１５を表示させ、そのスライダ式スイッチ１５をスライドさせた方向とコンピュータ１とリーダ３との間のデータ転送方向を合わせている。
【０１４３】
このようにすると、コンピュータ１とリーダ３との間でのデータ伝送時にコンピュータ１が送信側となっているか受信側となっていることの区別が容易になる。
【０１４４】
上記データ処理システム１００では、転送報知部３３は、スライダ式スイッチ１５が操作されていない場合、そのスライダ式スイッチ１５を初期位置に戻して表示する。
【０１４５】
このようにすると、スライダ式スイッチ１５は、スライダ式スイッチ１５を離すと初期位置に戻ることで、次の動作に移ることが可能になる。
【０１４６】
上記データ処理システム１００では、転送報知部３３は、コンピュータ１とリーダ３との間のデータ転送が終わると初期位置に戻している。
【０１４７】
このようにすると、コンピュータ１とリーダ３との間でデータ転送中にコンピュータ１が送信側となっているか受信側となっているのかの区別が容易になるとともに、データ転送後、次の動作に移ることが可能になる。
【０１４８】
上記実施形態におけるデータ処理システム１００では、上記構成に加えてさらに、別体装置の一例としてのリーダ３は、無線タグＴに配置された無線タグ回路素子Ｔｏとの間で情報の送受信を行い、その無線タグ回路素子Ｔｏから情報を読み取る情報読み取り装置である。
【０１４９】
このようにすると、例えば装置内部において複数の記憶媒体間におけるデータを転送する場合とは異なり、これらコンピュータ１（本体装置に相当）及びリーダ３（別体装置に相当）が互いに別体となっている。このデータ処理システム１００では、リーダ３が無線タグ回路素子Ｔｏから読み出した情報をコンピュータ１に転送する際に、コンピュータ１が受信側になっていることの区別がし易くなる。
【０１５０】
また、以上既に述べた以外にも、上記実施形態や各変形例による手法を適宜組み合わせて利用しても良い。
【０１５１】
上記実施形態では、別体装置の一例として、無線タグＴに配置された無線タグ回路素子Ｔｏとの間で情報の送受信を行うリーダ３を例示しているが、これに限られず、この別体装置は、コンピュータ１などの本体装置との間で双方向にデータを転送する装置であればいかなる装置に適用しても良い。なお同様に、本体装置は、このようなコンピュータ１に限られず、別体装置との間で双方向にデータを転送する装置であればいかなる装置であっても良い。
【０１５２】
上記実施形態においては、上述した転送報知部３３は、データ転送方向やデータ転送状態を主として視覚的に表現していたが、その代わりに或いは併せて、次のように聴覚的に表現するようにしても良い。すなわち、コンピュータ１（本体装置に相当）からリーダ３（別体装置に相当）へデータを転送する場合には、転送報知部３３が、一方のスピーカ２１（第１音出力手段に相当）から出力する音を小さくしつつ他方のスピーカ２１（第２音出力手段に相当）から出力する音を大きくするようにしてもよい。一方、リーダ３からコンピュータ１へデータを転送する場合には、この転送報知部３３が、他方のスピーカ２１から出力する音を小さくしつつ一方のスピーカ２１から出力する音を大きくするようにしてもよい。
【０１５３】
このようにすると、このような混合音に接したユーザは、ステレオ効果によって音の移動を検知でき、データ転送時に本体装置が送信側となっているか受信側となっているかの区別が容易になる。
【０１５４】
その他、一々例示はしないが、本発明は、その趣旨を逸脱しない範囲内において、種々の変更が加えられて実施されるものである。
【図面の簡単な説明】
【０１５５】
【図１】本実施形態のデータ処理システムの外観の構成例を示す平面図である。
【図２】図１に示すコンピュータの本体のハードウェアの構成例を示すブロック図である。
【図３】図１に示すコンピュータの本体において動作するソフトウェアの構成例を示すブロック図である。
【図４】表示装置の表示領域に表示された転送状態画面の一例を示す画面例である。
【図５】転送状態表示部の第１表示例を示す図である。
【図６】転送状態表示部の第１表示例を示す図である。
【図７】転送状態表示部の第２表示例を示す図である。
【図８】転送状態表示部の第２表示例を示す図である。
【図９】転送状態表示部の第２表示例の変形例を示す図である。
【図１０】転送状態表示部などの第３表示例を示す図である。
【図１１】転送状態表示部などの第３表示例を示す図である。
【図１２】転送状態表示部の第４表示例を示す図である。
【図１３】転送状態表示部の第４表示例の変形例を示す図である。
【図１４】転送状態表示部の第５表示例を示す図である。
【図１５】転送状態表示部の第５表示例を示す図である。
【図１６】転送状態表示部の第６表示例を示す図である。
【図１７】転送状態表示部の第６表示例を示す図である。
【図１８】転送状態画面の一部の構成例を示す図である。
【図１９】転送状態画面の一部の構成例を示す図である。
【図２０】転送状態画面の一部の構成例を示す図である。
【図２１】転送状態画面におけるスイッチの変形例を示す図である。
【符号の説明】
【０１５６】
１                コンピュータ（本体装置の一例）
３                リーダ（別体装置の一例）
５                表示装置（表示手段に相当）
５ａ              表示領域
６                転送状態表示部
７                本体
９                転送状態画面
２１              スピーカ（第１音出力手段、第２音出力手段に相当）
３１              データ転送部（データ転送手段に相当）
３３              転送報知部（転送状態報知手段に相当）
１００            データ処理システム
Ｔｏ              無線タグ回路素子
【図１】
2009071501.tif 000003
【図２】
2009071501.tif 000004
【図３】
2009071501.tif 000005
【図４】
2009071501.tif 000006
【図５】
2009071501.tif 000007
【図６】
2009071501.tif 000008
【図７】
2009071501.tif 000009
【図８】
2009071501.tif 000010
【図９】
2009071501.tif 000011
【図１０】
2009071501.tif 000012
【図１１】
2009071501.tif 000013
【図１２】
2009071501.tif 000014
【図１３】
2009071501.tif 000015
【図１４】
2009071501.tif 000016
【図１５】
2009071501.tif 000017
【図１６】
2009071501.tif 000018
【図１７】
2009071501.tif 000019
【図１８】
2009071501.tif 000020
【図１９】
2009071501.tif 000021
【図２０】
2009071501.tif 000022
【図２１】
2009071501.tif 000023